(57)【要約】【課題】樹木類の液状樹液の分泌を促進する新規な液状樹液分泌促進剤および液状樹液分泌促進方法を提供する。【解決手段】下記一般式（１）【化１】2004115448.tif 000006（式中、Ｒ１は炭化水素基、Ｒ２は水素または炭化水素基を示す。）で示されるジャスモン酸系化合物の少なくとも１種を含有する液状樹液分泌促進剤を提供する。【特許請求の範囲】
【請求項１】
下記一般式（１）
【化１】
2004115448.tif 000005
（式中、Ｒ１は炭化水素基、Ｒ２は水素または炭化水素基を示す。）で示されるジャスモン酸系化合物の少なくとも１種を含有することを特徴とする液状樹液分泌促進剤。
【請求項２】
前記式（１）において、Ｒ１がｎ−ペンテニル基であり、Ｒ２が水素またはアルキル基である請求項１記載の液状樹液分泌促進剤。
【請求項３】
請求項１または２記載の液状樹液分泌促進剤を樹木類に施用することを特徴とする液状樹液分泌促進方法。
【発明の詳細な説明】
【０００１】
【発明の属する技術分野】
本発明は、液状樹液分泌促進剤および液状樹液分泌促進方法に関する。
【０００２】
【従来の技術】
樹木から採取される液状の樹液には、有用なものが多く知られている。
例えば、うるし液はウルシ科の植物から採取される液状の樹液で、日本では古く縄文時代から塗料あるいは接着剤として使われている。ウルシノキがうるし液を採取できるまでに生育するには８〜１３年が必要であり、ウルシノキ一本あたりの産出量は、成木で一年間にわずか２００グラム程度と少なく、天然のうるし液は非常に貴重なものである。また、うるし液の採集は人手で行なうため効率のあがらない作業であり、採取量を増やすためにうるし液の分泌を促進する方法が切望されている。また、天然ゴムはゴムの木から採取される液状の樹液で、イソプレンのシス型の重合体ラッテクスである。この天然ゴムもうるし液と同様に人手で採集しており、採集量増大のため液状樹液の分泌を促進する方法が求められていた。
【０００３】
また、ジャスモン酸類が草花類であるチューリップや果樹である桃の木のガム状物質の分泌を促進することが知られている（例えば、非特許文献１、非特許文献２　参照。）。しかしながら、これらは全てガム状物質を分泌する草花類や果樹が対象であり、実施方法も草花類や果樹の表面をこすって浅い傷をつけた状態で行なったものである。一方、工芸用途および工業用途に重要な役割を果たしているうるしや天然ゴムのような液状樹液を採取するには、なるべく多量に採取するため、樹木に深く傷をつける必要がある。従来、ゴムの木の樹液である天然ゴムラテックスの分泌促進には、エチレンまたは、２−クロロエチルホスホン酸（一般名：エテホン）が刺激剤として用いられてきたものの、その液状樹液分泌促進効果が十分でなく、新たな液状樹液分泌促進剤の開発が求められていた。
【０００４】
【非特許文献１】
Ｊｏｕｒｎａｌ　ｏｆ　Ｐｌａｎｔ　Ｇｒｏｗｔｈ　Ｒｅｇｕｌａｔｉｏｎ（１９９８），　１７（３），　１２１−１２４
【非特許文献２】
Ｊｏｕｒｎａｌ　ｏｆ　Ｐｌａｎｔ　Ｇｒｏｗｔｈ　Ｒｅｇｕｌａｔｉｏｎ（１９９８），　１７（３），　１７９−１８３
【０００５】
【発明が解決しようとする課題】
本発明の目的は、樹木類の液状樹液の分泌を促進する新規な液状樹液分泌促進剤および液状樹液分泌促進方法を提供することにある。
【０００６】
【課題を解決するための手段】
上記課題を解決するため、本発明者らはジャスモン酸系化合物に着目し、該化合物を液状樹液を分泌する樹木に施用し、液状樹液の分泌促進作用について鋭意検討した結果、該化合物が液状樹液の分泌を極めて効果的に促進することを見出し本発明を完成させるに到った。
【０００７】
すなわち、本発明の液状樹液分泌促進剤は、下記一般式（１）
【化１】
2004115448.tif 000002
（式中、Ｒ１は炭化水素基、Ｒ２は水素または炭化水素基を示す。）で示されるジャスモン酸系化合物の少なくとも１種を含有することを特徴とする。
【０００８】
前記式（１）において、Ｒ１がｎ−ペンテニル基であり、Ｒ２が水素またはアルキル基であることが好ましい。
【０００９】
また、本発明の液状樹液分泌促進方法は、前記式（１）で示されるジャスモン酸系化合物の少なくとも１種を含有する液状樹液分泌促進剤を樹木類に施用することを特徴とする。
【００１０】
【発明の実施の形態】
以下、本発明の液状樹液分泌促進剤および液状樹液分泌促進方法について詳細に説明する。
【００１１】
液状樹液分泌促進剤
本発明の液状樹液分泌促進剤は、下記一般式（１）で示されるジャスモン酸系化合物を有効成分として含有することを特徴とする。
【００１２】
【化１】
2004115448.tif 000003
（式中、Ｒ１は炭化水素基、Ｒ２は水素または炭化水素基を示す。）
【００１３】
前記一般式（１）において、Ｒ１は炭化水素基を表す。炭化水素基としては、例えば、炭素数１〜２０のアルキル基、炭素数２〜２０のアルケニル基、炭素数２〜２０のアルキニル基などが挙げられる。
【００１４】
これらの中でも、エチル基、ｎ−プロピル基、イソプロピル基、ｎ−ブチル基、ｓｅｃ−ブチル基、ｔ−ブチル基、ｎ−ペンチル基、イソペンチル基、２−メチルブチル基、１−メチルブチル基、ｎ−ヘキシル基、イソヘキシル基、３−メチルペンチル基、２−メチルペンチル基、１−メチルペンチル基などの炭素数１〜６のアルキル基；または、アリル基、２−ブテニル基、３−ブテニル基、イソブテニル基、４−ペンテニル基、３−ペンテニル基、トランス−２−ペンテニル基、シス−２−ペンテニル基、１−ペンテニル基、３−メチル−２−ペンテニル基、５−ヘキセニル基、３−ヘキセニル基、２−ヘキセニル基などの炭素数２〜６のアルケニル基；が好ましく、ｎ−ペンチル基、イソペンチル基、２−メチルブチル基、１−メチルブチル基、４−ペンテニル基、３−ペンテニル基、トランス−２−ペンテニル基、シス−２−ペンテニル基、１−ペンテニル基などの炭素数４〜５のアルキル基または炭素数４〜５のアルケニル基がより好ましく、ｎ−ペンテニル基が特に好ましい。
【００１５】
Ｒ２は水素原子または炭化水素基を表す。この炭化水素基としては、例えば、炭素数１〜２０のアルキル基、炭素数２〜２０のアルケニル基、炭素数２〜２０のアルキニル基等が挙げられる。また、Ｒ２の炭化水素基は、酸素原子、窒素原子、硫黄原子などのヘテロ原子を含むものであってもよい。かかる炭化水素基としては、例えば、炭素数１〜２０のヒドロキシアルキル基などが挙げられる。
【００１６】
前記Ｒ２の好ましい具体例としては、水素；メチル基、エチル基、ｎ−プロピル基、イソプロピル基、ｎ−ブチル基、ｎ−ペンチル基、ｎ−ヘキシル基、２−メチルブチル基などの炭素数１〜８のアルキル基；アリル基、３−ブテニル基、２−ペンテニル基、４−メチル−３−ペンテニル基、２−ヘキセニル基などの炭素数２〜８のアルケニル基；ブロパルギル基、３−ブチニル基、２−ペンチニル基、３−ヘキシニル基などの炭素数２〜８のアルキニル基；ヒドロキシメチル基、２−ヒドロキシエチル基、２−ヒドロキシプロピル基、３−ヒドロキシプロピル基などの炭素数１〜８のヒドロキシアルキル基などが挙げられる。
【００１７】
前記式（１）で表されるジャスモン酸系化合物には、不斉炭素原子に由来する光学異性体が存在し得る。また、Ｒ１および／またはＲ２がアルケニル基である場合には、シス−トランスの立体異性体が存在し得る。これらの化合物は、全て本発明で用いることができる。
【００１８】
前記式（１）において、Ｒ２が炭化水素基、すなわちジャスモン酸エステル化合物の具体例としては、メチル（２−ｎ−ペンチル−３−オキソ−シクロペンチル）アセテート、メチル〔２−（３−ｎ−ペンテニル）−３−オキソ−シクロペンチル〕アセテート、メチル〔２−（３−ｎ−ペンチニル）−３−オキソ−シクロペンチル〕アセテート、エチル（２−ｎ−ペンチル−３−オキソ−シクロペンチル）アセテート、エチル〔２−（２−ｎ−ペンテニル）−３−オキソ−シクロペンチル〕アセテート、エチル〔２−（２−ｎ−ペンチニル）−３−オキソ−シクロペンチル〕アセテート、ｎ−プロピル（２−ｎ−ペンチル−３−オキソ−シクロペンチル）アセテート、ｎ−プロピル〔２−（２−ｎ−ペンテニル）−３−オキソ−シクロペンチル〕アセテート、ｎ−プロピル〔２−（２−ｎ−ペンチニル）−３−オキソ−シクロペンチル〕アセテート、ｎ−プロピル〔２−（３−ｎ−ペンテニル）−３−オキソ−シクロペンチル〕アセテート、ｎ−プロピル〔２−（３−ｎ−ペンチニル）−３−オキソ−シクロペンチル〕アセテート、ｎ−プロピル〔２−（２−メチル−ｎ−ブチル）−３−オキソ−シクロペンチル〕アセテート、ｎ−プロピル〔２−（２，２−ジメチルプロピル）−３−オキソ−シクロペンチル〕アセテート、イソプロピル（２−ｎ−ペンチル−３−オキソ−シクロペンチル）アセテート、
【００１９】
イソプロピル〔２−（２−ｎ−ペンテニル）−３−オキソ−シクロペンチル〕アセテート、イソプロピル〔２−（３−ｎ−ペンテニル）−３−オキソ−シクロペンチル〕アセテート、イソプロピル〔２−（２−ｎ−ペンチニル）−３−オキソ−シクロペンチル〕アセテート、イソプロピル〔２−（３−ｎ−ペンチニル）−３−オキソ−シクロペンチル〕アセテート、ｎ−ブチル（２−ｎ−ペンチル−３−オキソ−シクロペンチル）アセテート、ｎ−ブチル〔２−（２−ｎ−ペンテニル）−３−オキソ−シクロペンチル〕アセテート、ｎ−ブチル〔２−（３−ｎ−ペンテニル）−３−オキソ−シクロペンチル〕アセテート、ｎ−ブチル〔２−（２−ｎ−ペンチニル）−３−オキソ−シクロペンチル〕アセテート、ｎ−ブチル〔２−（３−ｎ−ペンチニル）−３−オキソ−シクロペンチル〕アセテート、イソブチル（２−ｎ−ペンチル−３−オキソ−シクロペンチル）アセテート、イソブチル〔２−（２−ｎ−ペンテニル）−３−オキソ−シクロペンチル〕アセテート、イソブチル〔２−（２−ｎ−ペンチニル）−３−オキソ−シクロペンチル〕アセテート、ｓｅｃ−ブチル（２−ｎ−ペンチル−３−オキソ−シクロペンチル）アセテート、ｓｅｃ−ブチル〔２−（２−ｎ−ペンテニル）−３−オキソ−シクロペンチル〕アセテート、ｓｅｃ−ブチル〔２−（２−ｎ−ペンチニル）−３−オキソ−シクロペンチル〕アセテート、ｔ−ブチル（２−ｎ−ペンチル−３−オキソ−シクロペンチル）アセテート、
【００２０】
２−メチルブチル（２−ｎ−ペンチル−３−オキソ−シクロペンチル）アセテート、ｎ−ペンチル（２−ｎ−ペンチル−３−オキソ−シクロペンチル）アセテート、ｎ−ペンチル〔２−（２−ｎ−ペンテニル）−３−オキソ−シクロペンチル〕アセテート、ｎ−ペンチル〔２−（２−ｎ−ペンチニル）−３−オキソ−シクロペンチル〕アセテート、ｎ−ヘキシル（２−ｎ−ペンチル−３−オキソ−シクロペンチル）アセテート、ｎ−ヘキシル〔２−（２−ｎ−ペンテニル）−３−オキソ−シクロペンチル〕アセテート、ｎ−ヘキシル〔２−（２−ｎ−ペンチニル）−３−オキソ−シクロペンチル〕アセテート、ｎ−ヘプチル〔２−（２−ｎ−ペンテニル）−３−オキソ−シクロペンチル〕アセテート、ｎ−ヘプチル〔２−（２−ｎ−ペンチニル）−３−オキソ−シクロペンチル〕アセテート、ｎ−オクチル（２−ｎ−ペンチル−３−オキソ−シクロペンチル）アセテート、ｎ−オクチル〔２−（２−ｎ−ペンテニル）−３−オキソ−シクロペンチル〕アセテート、ｎ−オクチル〔２−（２−ｎ−ペンチニル）−３−オキソ−シクロペンチル〕アセテート、ｎ−デシル（２−ｎ−ペンチル−３−オキソ−シクロペンチル）アセテート、
【００２１】
アリル（２−ｎ−ペンチル−３−オキソ−シクロペンチル）アセテート、２−ブテニル（２−ｎ−ペンチル−３−オキソ−シクロペンチル）アセテート、シス−２−ペンテニル（２−ｎ−ペンチル−３−オキソ−シクロペンチル）アセテート、トランス−２−ヘキセニル（２−ｎ−ペンチル−３−オキソ−シクロペンチル）アセテート、４−メチル−３−ペンテニル（２−ｎ−ペンチル−３−オキソ−シクロペンチル）アセテート、シス−３−ヘキセニル（２−ｎ−ペンチル−３−オキソ−シクロペンチル）アセテート、プロパギル（２−ｎ−ペンチル−３−オキソ−シクロペンチル）アセテート、２−ペンチニル（２−ｎ−ペンチル−３−オキソ−シクロペンチル）アセテート、３−ブチニル（２−ｎ−ペンチル−３−オキソ−シクロペンチル）アセテート、
【００２２】
３−ヘキシニル（２−ｎ−ペンチル−３−オキソ−シクロペンチル）アセテート、２−ヒドロキシエチル（２−ｎ−ペンチル−３−オキソ−シクロペンチル）アセテート、２−ヒドロキシプロピル（２−ｎ−ペンチル−３−オキソ−シクロペンチル）アセテート、アリル〔２−（２−ｎ−ペンテニル）−３−オキソ−シクロペンチル〕アセテート、アリル〔２−（２−ｎ−ペンチニル）−３−オキソ−シクロペンチル〕アセテート、プロパルギル〔２−（２−ｎ−ペンテニル）−３−オキソ−シクロペンチル〕アセテート、プロパルギル〔２−（２−ｎ−ペンチニル）−３−オキソ−シクロペンチル〕アセテート、３−ブテニル〔２−（２−ｎ−ペンテニル）−３−オキソ−シクロペンチル〕アセテート、３−ブテニル〔２−（２−ｎ−ペンチニル）−３−オキソ−シクロペンチル〕アセテート、３−ブチニル〔２−（２−ｎ−ペンテニル）−３−オキソ−シクロペンチル〕アセテート、３−ブチニル〔２−（２−ｎ−ペンチニル）−３−オキソ−シクロペンチル〕アセテート、シス−３−ヘキセニル〔２−（２−ｎ−ペンテニル）−３−オキソ−シクロペンチル〕アセテート、シス−３−ヘキセニル〔２−（２−ｎ−ペンチニル）−３−オキソ−シクロペンチル〕アセテートなどが挙げられる。
【００２３】
これらのジャスモン酸エステル成分は、それぞれ単独であるいは２種以上を組み合わせて用いることができる。
【００２４】
前記式（１）において、Ｒ２が水素原子、すなわちジャスモン酸化合物の具体例としては、（２−エチル−３−オキソ−シクロペンチル）酢酸、（２−ｎ−プロピル−３−オキソ−シクロペンチル）酢酸、（２−イソプロピル−３−オキソ−シクロペンチル）酢酸、（２−ｎ−ブチル−３−オキソ−シクロペンチル）酢酸、（２−ｓｅｃ−ブチル−３−オキソ−シクロペンチル）酢酸、（２−ｔ−ブチル−３−オキソ−シクロペンチル）酢酸、（２−ｎ−ペンチル−３−オキソ−シクロペンチル）酢酸、（２−イソペンチル−３−オキソ−シクロペンチル）酢酸、〔２−（２−メチル−ｎ−ブチル）−３−オキソ−シクロペンチル〕酢酸、〔２−（１−メチル−ｎ−ブチル）−３−オキソ−シクロペンチル〕酢酸、（２−ｎ−ヘキシル−３−オキソ−シクロペンチル）酢酸、
【００２５】
（２−イソヘキシル−３−オキソ−シクロペンチル）酢酸、〔２−（３−メチル−ｎ−ペンチル）−３−オキソ−シクロペンチル〕酢酸、〔２−（２−メチル−ｎ−ペンチル）−３−オキソ−シクロペンチル〕酢酸、〔２−（１−メチル−ｎ−ペンチル）−３−オキソ−シクロペンチル〕酢酸、（２−アリル−３−オキソ−シクロペンチル）酢酸、〔２−（３−ｎ−ブテニル）−３−オキソ−シクロペンチル〕酢酸、（２−イソブテニル−３−オキソ−シクロペンチル）酢酸、〔２−（４−ｎ−ペンテニル）−３−オキソ−シクロペンチル〕酢酸、〔２−（３−ｎ−ペンテニル）−３−オキソ−シクロペンチル〕酢酸、〔２−（トランス−２−ｎ−ペンテニル）−３−オキソ−シクロペンチル〕酢酸、〔２−（シス−２−ｎ−ペンテニル）−３−オキソ−シクロペンチル〕酢酸、〔２−（１−ｎ−ペンテニル）−３−オキソ−シクロペンチル〕酢酸、〔２−（３−メチル−２−ｎ−ペンテニル）−３−オキソ−シクロペンチル〕酢酸、〔２−（５−ｎ−ヘキセニル）−３−オキソ−シクロペンチル〕酢酸、〔２−（３−ｎ−ヘキセニル）−３−オキソ−シクロペンチル〕酢酸、〔２−（２−ｎ−ヘキセニル）−３−オキソ−シクロペンチル〕酢酸、〔２−（３−ｎ−ブチニル）−３−オキソ−シクロペンチル〕酢酸、（２−イソブチニル−３−オキソ−シクロペンチル）酢酸、〔２−（４−ｎ−ペンチニル）−３−オキソ−シクロペンチル〕酢酸、〔２−（３−ｎ−ペンチニル）−３−オキソ−シクロペンチル〕酢酸、〔２−（トランス−２−ｎ−ペンチニル）−３−オキソ−シクロペンチル〕酢酸、〔２−（シス−２−ｎ−ペンチニル）−３−オキソ−シクロペンチル〕酢酸、〔２−（１−ｎ−ペンチニル）−３−オキソ−シクロペンチル〕酢酸、〔２−（３−メチル−２−ｎ−ペンチニル）−３−オキソ−シクロペンチル〕酢酸、〔２−（５−ｎ−ヘキシニル）−３−オキソ−シクロペンチル〕酢酸、〔２−（３−ｎ−ヘキシニル）−３−オキソ−シクロペンチル〕酢酸、〔２−（２−ｎ−ヘキシニル）−３−オキソ−シクロペンチル〕酢酸などが挙げられる。
【００２６】
これらのジャスモン酸系化合物は、それぞれ単独であるいは２種以上を組み合わせて用いることができる。
【００２７】
前記式（１）で表されるジャスモン酸系化合物（以下、単に「ジャスモン酸系化合物」ともいう。）はいずれも公知の化合物であり、常法に従い製造することができる。
【００２８】
例えば、前記式（１）においてＲ１がｎ−ペンチル基で、Ｒ２がアルキル基であるジャスモン酸エステルは、２−ｎ−ペンチルシクロペンテン−１−オンとマロン酸のアルキルエステルとをマイケル付加させた後、脱炭酸させることにより容易に得ることができる。また、このようにして製造したアルキルエステル体を、常法に従いアルコール類とエステル交換させて別種のエステル体を製造することもできる。また、ジャスモン酸化合物は、例えば、ジャスモン酸エステル化合物を塩基または酸で加水分解することにより得ることができる。
【００２９】
本発明の液状樹液分泌促進剤は、前記式（１）で表されるジャスモン酸系化合物の１種または２種以上を含有してなる。また、従来公知の植物生長調節剤、殺菌剤、殺虫剤などの他の薬剤をさらに含有せしめることもできる。
【００３０】
このような薬剤としては、例えばベンジルアデニン、ジベレリン類、オーキシン類、インドール酢酸、アブシジン酸、ブラシノステロイド類、エチレン発生剤などが挙げられる。さらには、各種の栄養剤、ｐＨ調節剤なども必要に応じて添加することができる。
【００３１】
本発明の液状樹液分泌促進剤は、前記式（１）で表されるジャスモン酸系化合物の１種又は２種以上と、固体担体や液体担体、分散剤などを適宜組み合わせて、ペースト剤、液剤、乳剤、水和剤、錠剤、粉剤、エアゾール剤などの製品にすることができる。これらのうち、好ましい製剤としては、ペースト剤、乳剤、液剤、水和剤、エアゾール剤があげられる。
【００３２】
前記固体担体の例としては、カオリナイト群、モンモリナイト群、アパタルジャイト群、ジークライト群、タルク、雲母、葉ロウ石、軽石、バーミキュライト、石こう、炭酸カルシウム、ドロマイト、けいそう土、マグネシウム、石灰、リン石灰、ゼオライト、無水ケイ酸、合成ケイ酸カルシウムなどの無機物質；大豆粉、タバコ粉、クルミ粉、小麦粉、木粉、でんぷん、結晶セルロース、エステルガム、コーパルガム、ダンマルガムなどの植物性有機物；クマロン樹脂、石油樹脂、アルキド樹脂、ポリ塩化ビニル、ケトン樹脂、シリコン樹脂、アクリル樹脂、ウレタン樹脂、などの高分子化合物；カルナバロウ、密ロウなどのワックス類；ラノリンなどのグリース類；脂肪酸エスエル類；尿素類などが挙げられる。これらの固体担体は、それぞれ単独で、あるいは２種類以上組み合わせて用いることができる。
【００３３】
液体担体の具体例としては、ケロシン、鉱油、スピンドル油、ホワイトオイル、ベンゼン、トルエン、キシレン、エチルベンゼン、クメン、メチルナフタレンなどのパラフィン系、ナフテン系もしくは芳香族系炭化水素類；四塩化炭素、クロロホルム、トリクロロエチレン、モノクロロベンゼン、ｏ−クロロトルエンなど塩素系炭化水素類；ジメチルエーテル、ジエチルエーテル、ジオキサン、テトラヒドロフランなどのエーテル類；アセトン、メチルエチルケトン、ジエチルケトン、ジイソブチルケトン、シクロペンタノン、シクロヘキサノン、アセトフェノン、イソホロンなどのケトン類；
【００３４】
酢酸エチル、酢酸アミル、エチレングリコールアセテート、マレイン酸ジブチル、コハク酸ジエチルなどのエステル類；メタノール、エタノール、ｎ−プロパノール、イソプロパノール、ｎ−ヘキサノール、エチレングリコール、ジエチレングリコール、グリセリンなどのアルコール類；エチレングリコールフェニルエーテル、ジエチレングリコールブチルエーテルなどのエーテル類；ジメチルホルムアミド、ジメチチルスルホキシドおよび水などが挙げられる。
【００３５】
これらの中でも、炭化水素類、ケトン類、アルコール類、水などが特に好ましく、特にアルコール類や水が最も好ましい。これらの液体担体は、それぞれ単独で、あるいは２種以上を組み合わせて用いることができる。
【００３６】
分散剤としては、通常の農薬分野で使用されているものを用いることができ、一般的には界面活性剤が用いられる。界面活性剤としては、非イオン性、陽イオン性、陰イオン性および両イオン性のいずれでもよいが、好適には、非イオン性界面活性剤が用いられる。これらの分散剤はそれぞれ単独で、あるいは２種以上組み合わせて用いることができる。
【００３７】
該非イオン性界面活性剤としては、例えば、２種以上のアルキレンオキシドのブロック縮重合体、ポリオキシアルキレンエーテル系化合物、ポリオキシアルキレングリコール脂肪酸エステル系化合物、多価アルコール系脂肪酸エステル化合物、ポリオキシアルキレン多価アルコール系脂肪酸エステル化合物、ポリオキシアルキレンアルキルアミン化合物、アルキルアルカノールアミド化合物などが挙げられる。
【００３８】
本発明の液状樹液分泌促進剤の調製方法は、特に限定されるものではなく、従来公知の製剤法を用いることができる。例えばペースト剤の場合には、前記式（１）で現されるジャスモン酸系化合物、固体担体、及び所望によりその他成分を混合して液状樹液分泌促進剤のペーストを調製することができる。ペースト中のジャスモン酸系化合物の濃度は、通常、０．０１〜５０重量％、好ましくは０．１〜３０重量％、より好ましくは０．５〜２０重量％、特に好ましくは１〜１０重量％である。かかる液状樹液分泌促進剤のペーストはそのまま対象樹木に施用して良い。
【００３９】
本方法の液状樹液分泌促進剤を適用する樹木類は特に限定されないが、例えばうるし液を採取するためのウルシノキ；ゴムのラテックスを採取するゴム科の樹木；またはアラビアゴムを採取するアカシア・セネガルなどのアカシア科の樹木；などが挙げられるが、これらの中でも付加価値の高いうるし液を効率良く採取出来ることからウルシノキに適用することが好ましい。
【００４０】
液状樹液分泌促進方法
本発明の液状樹液分泌促進方法は、前記一般式（１）で示されるジャスモン酸系化合物を有効成分として含有してなる液状樹液分泌促進剤を樹木類に施用することを特徴とする。この方法により樹木類の液状樹液の分泌を効果的に促進することができ、例えば工芸作物であるウルシノキに適用すれば、うるし液の分泌を促進し、うるし液を効率よく採取することができる。
【００４１】
本発明の液状樹液分泌促進剤は、対象とする樹木の液状樹液採取部分に施用するが、樹木の全体に施用しても、また、一部に施用してもよい。施用の方法も液状樹液分泌促進剤の製剤形態に応じて適宜選択すればよく、例えば、前記ラノリンペーストを対象植物の液状樹液採取部分に直接塗布すればよい。
【００４２】
施用時期は特に限定されないが、採取予定の３０日前から直前に施用することが好ましい。施用回数も特に限定されないが、通常、１回または数回に分けて施用する方法が好適に用いられる。
【００４３】
本発明の液状樹液分泌促進剤を施用する際のジャスモン酸系化合物の使用濃度は、対象となる作物の種類、施用形態、施用方法、施用時期などに応じて適宜選択すればよい。例えば、ペースト中のジャスモン酸系化合物の濃度は、通常、０．０１〜５０重量％、好ましくは０．１〜２０重量％、より好ましくは０．５〜１０重量、最も好ましくは０．５〜３重量の範囲である。
【００４４】
【実施例】
以下に実施例および比較例を挙げて、本発明についてさらに詳細に説明するが、本発明はこれらにより何ら限定されるものではない。また、以下の実施例１、比較例１及び比較例２においては、気候条件の差が出ないよう３つの試験区を設けて同時に実験を行なった。
【００４５】
実施例１
メチルジャスモン酸を１重量％含むラノリンペーストの供試薬剤を用意した。うるし液の採取適期に、１０年生のウルシノキ成木の試験区を設けた。試験区のウルシノキ成木３本それぞれにに直径１．５ｃｍの円形剥皮傷をつけ、上記供試薬剤を傷口に１００ｍｇずつ塗布した。薬剤処理後傷口は被覆した。薬剤塗布後１２日目に、漏出しているうるし液の長さと最大幅を測り、その積を滲出量とした。試験区内の合計９ヵ所の傷についてうるし液の滲出量を計測し、その平均値を表１に示した。
【００４６】
比較例１
メチルジャスモン酸を１重量％含むラノリンペーストの供試薬剤に代えて、２−クロロエチルホスホン酸（一般名：エテホン）を１重量％含むラノリンペーストの供試薬剤を用いた以外は、実施例１と同様に実験を行い、滲出量の平均値を表１に示した。
【００４７】
比較例２
供試薬剤を塗布しなかったこと以外は実施例１と同様にして実験を行ない、滲出量の平均値を表１に示した。
【００４８】
【表１】
2004115448.tif 000004
【００４９】
表１から明らかなように、メチルジャスモン酸を１重量％含むラノリンペーストを用いた実施例１は、２−クロロエチルホスホン酸を用いた比較例１および供試薬剤を塗布しなかった比較例２に比較して著しくうるし液の分泌が促進された。
【００５０】
【発明の効果】
本発明の液状樹液分泌促進剤の使用により、うるし液などの樹液の分泌が促進され、有用な液状樹液を大量に効率よく採取できる。